(57)【特許請求の範囲】
【請求項１】
それぞれデータ処理手段を有する複数の端末装置にわたってループ状のデータウェイが形成されるデータ処理システムにおいて、
上記複数のそれぞれの端末装置が、電源ＯＮ後、隣接する端末装置に対して、該端末装置のデータ復調に必要なしきい値を形成するためのデータを送信するとともに、
上記しきい値を形成するためのデータが、
上記複数の端末およびデータウエイの始端を構成するホストコンピュータが、電源ＯＮ後の所定時間、しきい値を所定値にまで上昇させるために出力する“１”データと、
その後ループデータが入力されるまで、上記しきい値を所定の値に保持するダミーデータとよりなることを特徴とするデータ処理システム。
【請求項２】
上記“１”データが、
各端末装置が備える送信回路の送信レジスタから電源ＯＮ時に出力される“１”データである請求項１に記載のデータ処理システム。
【発明の詳細な説明】
【０００１】
【産業上の利用分野】
本発明はデータ処理システムに関するものである。
【０００２】
【従来技術】
ＤＣ結合されていない伝送路を用いてデジタルデータを伝送する場合、送信側においては、各種の変調方式に従ってベースバンド信号で搬送波を変調した信号を送信し、受信側においては、送信側の変調方式に対応する復調方式に従い復調することにより元のベースバンド信号を再生する。
【０００３】
一般的なＡＳＫ変調方式を用いた場合、送信側においてはベースバンド信号の“１”／“０”に応じて搬送波の振幅レベルを変調し、受信側においては、ベースバンド信号の“１”に相当する振幅レベルと“０”に相当する振幅レベルの中間となるしきい値を用いて“１”／“０”を識別することにより元のベースバンド信号の再生が行われる。
【０００４】
この場合、しきい値としては予め受信側で用意したレベル、あるいは伝送信号より検出した伝送信号の平均レベルが用いられるが、外部干渉が多く振幅レベルが変動しやすい伝送路を用いる場合は、一般的に後者が採用されている。
【０００５】
上記のように伝送信号の平均レベルをしきい値として採用する場合は、データ伝送開始時点においてしきい値が既に確立されている必要があり、一般的には、送信側が予めしきい値形成用のダミーデータを送信しておくことによりしきい値の確立が行われる。
【０００６】
一方、遊技場、例えば、パチンコ店においては、各パチンコ台の稼働状況などを管理するためにコンピュータを用いたデータ処理システムが用いられている。このようなデータ処理システムでは、データ処理手段を有する中央管理装置を設けるとともに、各パチンコ台にデータ処理手段を有する端末装置を設け、上記中央管理装置と各端末装置との間の情報交換を目的としてデジタルデータの伝送が行われる。
【０００７】
伝送形式としては、各端末装置と中央管理装置とを１対１で接続するものと、例えば特開昭６２−２７７９７９号公報に記載されているように、中央管理装置と各端末装置とにわたってループ状のデータウェイを形成するものとに大別され、このループ状のデータウェイを形成する伝送形式は、通信回線数を減少させるのに有効である。
【０００８】
このようなデータ処理システムにおける各端末装置の復調部において、上記のように伝送信号の平均レベルをしきい値として採用する場合、上述したようなしきい値の確立のために、中央管理装置から各端末装置に予めダミーデータを送信しておくことが考えられる。
【０００９】
【発明が解決しようとする課題】
しかしながら、上記のように中央管理装置と各端末装置とにわたってループ状のデータウェイを形成する伝送形式を用いたデータ処理システムの場合、例えば、電源ＯＮ直後等のようにいまだ伝送ループが形成されていない状態においては、中央管理装置が送信するダミーデータが後続の端末装置に届くまで時間を要し、結果として、端末装置におけるしきい値の確立に時間を要する欠点がある。
【００１０】
また、ＤＣ結合されていない伝送路を用いた場合、例えば、電源ＯＮ直後等のように伝送信号の平均レベルが下がりきっている状態においては、“１”／“０”が均等に配分されたダミーデータを受信してもしきい値を“１”／“０”の中間値まで上げるのに時間を要する欠点がある。
【００１１】
本発明は上記従来の事情に鑑みて提案されたものであって、電源立ち上げ時からシステムが稼働状態に移行する迄の時間の短縮を図ることができるデータ処理システムを提供することを目的とするものである。
【００１２】
【課題を解決するための手段】
本発明は上記目的を達成するために以下の手段を採用している。すなわち、それぞれデータ処理手段を有する複数の端末装置にわたってループ状のデータウェイが形成されるデータ処理システムにおいて、上記複数のそれぞれの端末装置が、電源ＯＮ後、隣接する端末装置に対して、該端末装置のデータ復調に必要なしきい値を形成するためのデータを送信する構成としたものである。
【００１３】
上記しきい値を形成するためのデータとしては、どのような形態をとることも可能であるが、例えば、上記複数の端末およびデータウエイの始端を構成するホストコンピュータが、電源ＯＮ後の所定時間、しきい値を所定値にまで上昇させるために出力する“１”データと、その後ループデータが入力されるまで、上記しきい値を所定の値に保持するダミーデータとよりなる構成とすることができる。
【００１４】
ここで、上記“１”データとして、送信レジスタが電源ＯＮ時に“１”データを出力することを利用すると、電源ＯＮの直後にしきい値が確立することになる。
【００１５】
【発明の実施形態】
図１は本発明の一実施例を示すものである。
図２の斜視図に示すように、本発明の一実施例に係る光通信システムは、例えばパチンコ店の事務所（あるいは店内サービスカウンタ）内に設けたホストコンピュータ１を有し、このホストコンピュータ１が親送受信器２を介して第１の島３の島内中継機４にデータを例えば光（赤外線）を用いて伝送し、この島内中継機４で更に上記光信号を各島３に属する端末装置６に伝送するようにしている。以下、光として赤外線を用いた場合について更に説明する。
【００１６】
この島内中継機４から出射された赤外線信号は光ファイバー（あるいは適当な反射面）を介してその島３の第１のパチンコ台５に対応する端末装置６に入射され、第１のパチンコ台５に対応する端末装置６では受光した赤外線信号の中、自機に必要なデータを受け取って復調し、該端末装置６が制御するパチンコ台５の制御に使用し、また該パチンコ台５より得られたデータを組み込んだ送信用データを形成し、該送信用データに基づいて赤外線搬送波を変調した赤外線信号を次のパチンコ台５に対応する端末装置６に出射する。
【００１７】
以下、順に各パチンコ台５に対応する端末装置６で同様の受信、復調、データ処理、変調及び発信を行い、第１の島３の最後のパチンコ台５に対応する端末装置６から出射された赤外線信号は光ファイバーを（あるいは適当な反射面）を介して第１の島３の島内中継機４に入射され、更に、この島内中継機４では受信した赤外線信号を次の島３の島内中継機４に伝送する。尚、各島３の中継機４と対抗する位置の２つの端末装置６を接続する場合も、光ファイバーを用いるかあるいは適当な反射面を利用する構成とする。
【００１８】
次の島３で同じようにして島内中継機４と各端末装置６とにわたって順次赤外線信号を用いてデータ送信を行い、その島３の最後の端末装置６からその島内中継機４に赤外線信号を入力させた後、その島内中継機４から更に次の島３の島内中継機４にデータが送信される。
【００１９】
このようにして全ての島３の端末装置６にわたってデータが順に送信され、最後のパチンコ台５に対応する端末装置６から最後の島３の島内中継機４に送信されたデータがその島内中継機４から親送受信器２に伝送され、更に、ホストコンピュータ１に入力される。
【００２０】
なお、親送受信器２から第１の島３の島内中継器４へのデータ伝送及び最後の島３の島内中継器４から親送受信器２へのデータ伝送あるいは各島の中継機４の間のデータ伝送は上記のように光（赤外線）信号を用いても、電磁波信号を用いてもよい。
【００２１】
このようにしてホストコンピュータ１と各端末装置６とにわたる赤外線通信のループ状のデータウェイが形成され、このループ状のデータウェイを介して順次行われるデータ伝送は所定の周期で繰り返して行われ、ホストコンピュータ１では入力したデータに基づいて各パチンコ台５の稼働状態に関する種々のデータを作成し、必要に応じて記録する。
【００２２】
ところで、図１の回路ブロック図に示すように、各パチンコ台５に備えられた端末装置６には、送受信ユニット７とデータ処理手段８とが設けられ、この送受信ユニット７は島内中継機４あるいは先行する側に隣接するパチンコ台５の端末装置６からの赤外線信号を受信する受信部７１と、受信回路７２と、送信回路７３と、後続の端末装置６あるいは島内中継機４に赤外線信号を出射する送信部７４とを備える。
【００２３】
前記受信部７１には赤外線信号を受信して光電変換する受光素子７１ａが設けられ、前記受信回路７２は受信部７１から出力される電気信号を復調する復調部７２ａと、復調部７２ａで復調されたデータを記憶する受信レジスタ手段７２ｂとを備える。
【００２４】
前記データ処理手段８は受信レジスタ手段７２ｂから受信データを読み取り、ホストコンピュータ１から当該端末装置６に伝送されたデータに基づいて端末装置６を制御するとともに、例えば当該端末装置６に対応するパチンコ台５から与えられたデータで受信データの対応する部分を書替えて送信データを作成するなどのデータ処理を行うようにしている。
【００２５】
前記送信回路７３は、このデータ処理手段８で作成された送信データを記憶する送信レジスタ手段７３ａと、送信レジスタ手段７３ａに記憶されたデータに基づいて送信部７４の赤外線発光素子７４ａの出力を変調する変調部７３ｂとを備えている。
【００２６】
図３は上記復調部７２ａの一般的な例を示すブロック図である。受光素子７１ａで光電変換された信号（図４(a) ）はアンプ１２で増幅され、バンドパスフィルタ１３で必要な周波数の信号のみを抽出し、検波手段１４で検波して元の信号（図４(b) ）を抽出する。この元の信号は以降の信号処理ができるように整形する必要があり、コンパレータ１６で所定のしきい値と比較され、整形されたパルス（図４(d) ）を得る。もちろんこの整形前にはハンドパスフィルタ１５を介して不要な成分を除去するようになっている。
【００２７】
上記したように、送信側においてはベースバンド信号“１”／“０”に応じて搬送波の振幅レベルが変調され、受信側においてはベースバンド信号の“１”に相当する振幅レベルと“０”に相当する振幅レベルの中間となるしきい値を用いて“１”／“０”を識別することにより元のベースバンド信号の再生が行われる。
【００２８】
すなわち、図３においてしきい値再生手段１７は伝送信号の平均値を検出して、上記コンパレータ１６に与えるようにしている。
この発明は更に上記受信レジスタ７２ｂの出力を判別手段８１に入力し、受信されているデータが以下に説明するしきい値を確立するための“１”データであるのか、確立したしきい値を保持するためのダミーデータであるのか、各パチンコ台の制御あるいはデータを収集するために必要なループデータであるのかが判別される。これによって、“１”データあるいはダミーデータである場合にはデータ処理手段８で処理されないようになっている。
【００２９】
一方、上記の実施例では送信レジスタ７３ａとして、電源ＯＮになると、その出力が“１”データとなるレジスタを用いており、このことを利用して送信回路７３は“１”データを隣接の受信回路７２に送信する。従って、この状態で上記しきい値再生手段１７は隣接する端末装置６より送信される“１”データによって急速に所定の値にまでしきい値を上昇させる（図５、ステップＳ１）。この間に端末装置６は、各種の初期設定をするとともに送信レジスタ手段７３ａもセットされる。これによりダミーデータ発生手段８２は上記送信レジスタ手段７３ａにダミーデータの送信が可能となる（図５、ステップＳ２）。これによってダミーデータの送信が可能になると、送信回路７３よりダミーデータが送信される（図５、ステップＳ３）。
【００３０】
一方、上記と同様にして隣接する端末装置６の送信回路７３より送信されてきた“１”データに基づいてしきい値再生手段１７が所定のしきい値を確立するとともに、上記のように“１”データに続いて送信されるダミーデータに基づいて、上記のように確立されたしきい値が保持される。ダミーデータは順次受信レジスタ手段７２ｂに蓄積されることになるが、データ処理上は不要であるので、判別手段８１によって捨てられる。しかしながら、しきい値はデータ処理装置で処理されるループデータが入力されるまで所定値に保持しておく必要があるので、ループデータが入力するときまで継続して送信される（図５、ステップＳ４）。
【００３１】
上記の例では、電源投入直後に送信レジスタの出力する“１”データを用いた場合を説明したが、送信レジスタ７３ｂ以外のディバイスが出力する“１”データを用いてもよいことはもちろんである。
【００３２】
図６は、本発明の更に別の実施例を示すものである。この例では、“１”データの送信あるいはその後のダミーデータの送信を端末装置の初期設定が終わった後にデータ処理手段８のダミーデータ発生手段８２で発生させるようにしている。
【００３３】
すなわち、装置の電源がＯＮ  にされ、送信レジスタ７３ａのセットが完了（図６、ステップＳ１）した後にダミーデータ発生手段８２は、まず、“１”データを所定時間送信し（図６、ステップＳ２→Ｓ３），しきい再生手段１７でしきい値が確立する程度の予め定められた時間が経過すると、“１”と“０”が混在したダミーデータが送信されるようにする（図６、ステップＳ２→Ｓ４）。すなわち、この場合“１”データも“１”と“０”が混在したデータもダミーデータとして意図的に送信回路７３より送信するようになっている。この例においてもループデータが受信されたときに通常の処理手順に進行することは、上記の例と同じである。
【００３４】
尚、上記ダミーデータは一旦確立されたしきい値を所定の値に保持するためのものであるので、“１”の期間と“０”の期間がそれぞれ５０％前後になるようなパルス信号を用いるのが好ましい。
【００３５】
尚、図２よりあきらかなように、本願が適用されるシステムのループ状のデータウエイの始端と終端にホストコンピュータが配置されるが、上記データウエイの最初に位置する端末装置に対してはホストコピュータより上記しきい値形成用のデータが、また、終端の端末装置よりホストコンピュータに対しては、しきい値形成用のデータが送信される。
【００３６】
【発明の効果】
以上、本発明によると電源ＯＮ時に各端末装置あるいはデータウエイの始端を構成するホストコンピュータより隣接する端末装置に対して、該端末装置がデータ復調するに必要なしきい値を形成するためのデータを送信するようにしているので、短時間にしきい値を確立し、システムの立ち上げを迅速にすることができる効果がある。
【００３７】
とくに上記しきい値を形成するためのデータとして、電源ＯＮ直後の所定時間にしきい値を確立するための“１”データと、しきい値確立後にしきい値を保持するためのダミーデータを用いると、上記効果を一層高めることができる。更に上記“１”データとして、電源ＯＮ直後の送信レジスタよりの出力を利用すると、端末装置の初期設定を待つまでもなくしきい値を確立することができるので、一層短時間にシステムを稼働状態にすることができる。
【図面の簡単な説明】
【図１】本発明の１実施例ブロック図である。
【図２】本発明が適用されるパチンコホールの斜視図である。
【図３】図１に示す復調部の詳細を示すブロック図である。
【図４】図３に示す回路の波形図である。
【図５】本発明の手順を示すフロー図である。
【図６】本発明の別の手順を示すフロー図である。
【符号の説明】
１  ホストコンピュータ
６  端末装置
７３ａ  送信レジスタ手段
【図１】
0003883609.tif 000002
【図２】
0003883609.tif 000003
【図３】
0003883609.tif 000004
【図４】
0003883609.tif 000005
【図５】
0003883609.tif 000006
【図６】
0003883609.tif 000007